(57)【要約】【課題】顧客又は通行人が多い商店街等の歩道上に配設される屋根装置を、日照角度、天候等に即応して随時、正逆回転可能な電動モータを駆動して角度調整が可能であり、かつ構造が簡単な跳ね上げ式可動屋根装置を提供する。【解決手段】屋根材１は、外周枠体６と、外周枠体６枠内に張設された縦補強材７、７…と横補強材８、８…と、外周枠体６の表面等に貼設される透明板９と、横架部材１０とからなり、縦補強材７、７…の各基端部７ａ、７ａ…は、横架部材１０と平行に架設された連結軸１３で連結され、連結軸１３の両端部１３ａ、１３ｂは、横架部材１０の左右両側に設けられたブラケット１０ａ、１０ｂに回転可能に軸支されると共に、連結軸１３の一端は、正逆回転可能な電動モータＭの駆動軸Ｍａに連結されている。【選択図】  図２
2008075321.tif 000002
【特許請求の範囲】
【請求項１】
商店街等の建造物開口部の上方壁面から、歩道上に配設される跳ね上げ式可動屋根装置は屋根材と横架部材と連結軸とブラケットと正逆回転可能な電動モータから構成されると共に、
屋根材は、一対の左右枠材と前後枠材からなる外周枠体と、
前記外周枠体の枠内に格子状に張設された複数本の縦補強材と横補強材と、
前記外周枠体の表面又は表裏全面に貼設される透明板とからなり、
前記横架部材は、建造物開口部の上方壁面と支柱に水平状に架設され、
前記縦補強材のＬ字形状をした各基端突起部は、前記横架部材と平行に架設された連結軸で連結され、
当該連結軸は、前記横架部材の左右両側に設けられたブラケットにより回転可能に軸  支されて、連結軸の一端は、建造物開口部の一方の支柱に配設された正逆回転可能な電動モータの駆動軸に連結されていることを特徴とする、跳ね上げ式可動屋根装置。
【請求項２】
前記屋根材の先端部は前下がりとし、電動モータによる可動角度は、少なくとも約９０°〜１１５°であることを特徴とする、請求項１記載の跳ね上げ式可動屋根装置。
【請求項３】
前記外周枠体は、平面視正方形又は長方形状であることを特徴とする、請求項１〜２の何れかに記載の跳ね上げ式可動屋根装置。
【請求項４】
前記透明板は、硬質合成樹脂板又は強化ガラスであること3を特徴とする、請求項１〜３の何れかに記載の跳ね上げ式可動屋根装置。
【請求項５】
前記外周枠体、縦補強材及び横補強材の素材は硬質合成樹脂材又は非鉄金属であることを特徴とする、請求項１〜４の何れかに記載の跳ね上げ式可動屋根装置。
【請求項６】
前記透明板の表面には、着脱可能な広告用看板が装着されていることを特徴とする、請求項１〜５の何れかに記載の跳ね上げ式可動屋根装置。
【請求項７】
前記透明板の表面又は裏面には、着脱可能な遮光用シート又はフィルムが装着されていることを特徴とする、請求項１〜６の何れかに記載の跳ね上げ式可動屋根装置。
【発明の詳細な説明】
【技術分野】
【０００１】
本発明は、跳ね上げ式可動屋根装置に係り、より詳しくは、商店街等の建造物開口部の上方壁面から、歩道上に配設され、日照角度、天候等に即応して随時、正逆回転可能な電動モータを駆動して角度調整が可能な、跳ね上げ式可動屋根装置に関する。
【背景技術】
【０００２】
従来、商店街等の建造物開口部の上方壁面から、歩道上に配設される、いわゆる持ち出しアーケードは、顧客又は通行人の日除け、雨除け等を主目的として、前下がり固定屋根構造、前上がり固定屋根構造、越屋根換気構造又は、スライド屋根構造等が採用されている。前下がり固定屋根構造及び前下がり固定屋根構造として、特開平１１−１００９６５（特許文献１）が開示されている。特許文献１は、特許文献１は、強風によるあおり等に対しても十分に強固で、かつすっきりとした意匠を構成する簡易屋根を提供することを課題とし、その解決手段として、建物の外壁に固定され、上下方向に延在する縦枠と、基端部を前記縦枠の上端部に固定され前方に延びる垂木と、前記垂木の前端部に固定され左右方向に延在する前枠と、基端部を前記縦枠の下端部に固定されると共に前端部に前記前枠が固定され、前方に延びる妻梁とを備え、前記妻梁が斜め前上がりに配設され、且つ前記縦枠、前記垂木、前記前枠および前記妻梁が、当該前枠を頂部として側面視三角形を為していることを特徴としている。また越屋根換気構造屋根としては、特開２００３−１６１０１１（特許文献２）、特開平５−８６６４８（特許文献３）が開示されている。特許文献２は、既存の屋根に容易に取り付けることができ、かつ機能性部材を備える越屋根を提供することを課題とし、その解決手段として、屋根の棟部に越屋根を取付けてなる越屋根の取付構造であって、前記越屋根には換気口が設けられており、前記屋根の野地板には開口部が形成されており、前記越屋根は前記開口部を覆うようにして前記棟部に配置され、かつ、該棟部を構成する構造材（例えば、棟木等）に固定されていることを特徴としている。特許文献３は、越屋根を構造的に積極的に活用して屋根梁の経済的な断面を得ることのできるく体の構造を提供することを課題とし、その解決手段として、工場等の長スパン構造物において、採光用や換気用としての越屋根を形成するにあたり、越屋根内部に配置した束材と斜材により屋根梁を補強的に支え、越屋根を構造的に活用している。
またスライド屋根構造として、特開平９−２０３２１２（特許文献４）が開示されている。特許文献４は、開閉が自在で、且つ容易に据え付け、解体を行うことのできる軽量型仮設屋根の提供を課題とし、その解決手段として、ほぼ並行に立設された足場の各頂部に沿ってレールを配置し、各足場間を渡すように配置される屋根部材の両端にローラを取り付け、レールに案内されてローラが転動することにより屋根部材が任意の位置にスライドできるように構成され、そして、この屋根部材を段違いで複数段配設することを特徴としている。
【特許文献１】特開平１１−１００９６５号公報
【特許文献２】特開２００３−１６１０１１号公報
【特許文献３】特開平５−８６６４８公報
【特許文献４】特開平９−２０３２１２公報
【発明の開示】
【発明が解決しようとする課題】
【０００３】
上記の特許文献１は、強風によるあおり対策として、外壁に固定された垂木掛けから、複数本の固定垂木を前下がりに固定し、また妻梁を斜め前上がりに配設し、前枠を頂点として縦枠、垂木及び妻梁で三角形のトラスを構成しているので、強風や降雨、降雪には強度的には十分に対応できる簡易屋根であるが、固定された状態のままであるために、好天気等においては、顧客や通行人には、憂鬱感と抑圧感を感じさせる。特許文献２は、既存屋根に越屋根を容易かつ安定的に固定し、採光上の効果はあるが、アーケードのように、顧客又は通行人の日除け対策としては適していない。特許文献３は、特許文献２と同様に、越屋根を有効活用する構造ではあるが、屋根梁を支える複数の斜材が固定型であるので、越屋根の下を通行する顧客や通行人には、重苦しいものとなっており、また日差しが柔らかく、好天気等においては、顧客や通行人には、圧迫感ないし抑圧感を与えている。特許文献４は、建設現場等での風雨や直射日光を避けるために設置する仮設屋根であり、多数の顧客や通行人が往来するショッピングモール等には不適切である。
【０００４】
本発明が解決しようとする課題は、顧客又は通行人が多い商店街等の歩道上に配設される屋根装置を、日照角度、天候等に即応して随時、正逆回転可能な電動モータを駆動して角度調整が可能で、またショッピングモール等に要求される、軽快感及び開放感等があり、かつ構造が簡単な跳ね上げ式可動屋根装置を提供することにある。
【課題を解決するための手段】
【０００５】
本発明者は、従来技術の特許文献１〜３が共有する問題点である、憂鬱感、抑圧感又は重苦しさ等の要因が、何れも固定型屋根装置であることに着目し、鋭意検討を重ねた結果、本発明を完成したものである。ショッピングモールと称される、いわゆる商店街の歩道上に設置されるアーケードないし屋根装置は、固定型が普通であり、好天気時等にローラに架設された一部の天井アーチが駆動モータを介して歩道と平行してスライドし、天井部が開口されるのが常識とされている。顧客や多数の通行人が往来する商店街等において、その頭上にある屋根装置ないし屋根材が可動して跳ね上がることは、顧客等に危機感と恐怖感を抱かせることになるので、現今まで、本発明のような跳ね上げ式可動屋根装置は、想到されなかった。
課題を解決するための手段は、本願、特許請求の範囲の各請求項に記載の発明であり、その具体的な解決手段は、以下の通りである。
【０００６】
課題を解決するための第１の発明は、請求項１に記載の発明であり、
商店街等の建造物開口部の上方壁面から、歩道上に配設される跳ね上げ式可動屋根装置は、屋根材と横架部材と連結軸とブラケットと正逆回転可能な電動モータから構成されると共に、
屋根材は、一対の左右枠材と前後枠材からなる外周枠体と、
前記外周枠体の枠内に格子状に張設された複数本の縦補強材と横補強材と、
前記外周枠体の表面又は表裏全面に貼設される透明板とからなり、
前記横架部材は、建造物開口部の上方壁面と支柱に水平状に架設され、
前記縦補強材のＬ字形状をした各基端突起部は、前記横架部材と平行に架設された連結軸で連結され、
当該連結軸は、前記横架部材の左右両側に設けられたブラケットにより回転可能に軸  支されて、連結軸の一端は、建造物開口部の一方の支柱に配設された正逆回転可能な電動モータの駆動軸に連結されていることを特徴としている。
【０００７】
課題を解決するための第２の発明は、請求項２に記載の発明であり、前記屋根材の先端部は前下がりとし、電動モータによる可動角度は、少なくとも約９０°〜１１５°であることを特徴としている。
【０００８】
課題を解決するための第３の発明は、請求項３に記載の発明であり、前記外周枠体は、平面視正方形又は長方形状であることを特徴としている。
【０００９】
課題を解決するための第４の発明は、請求項４に記載の発明であり、前記透明板は、硬質合成樹脂板又は強化ガラスであることを特徴としている。
【００１０】
課題を解決するための第５の発明は、請求項５に記載の発明であり、前記外周枠体、縦補強材及び横補強材の素材は、硬質合成樹脂材又は非鉄金属であることを特徴としている。
【００１１】
課題を解決するための第６の発明は、請求項６に記載の発明であり、前記透明板の表面には、着脱可能な広告用看板が装着されていることを特徴としている。
【００１２】
課題を解決するための第７の発明は、請求項７に記載の発明であり、前記透明板の表面又は裏面には、着脱可能な遮光用シート又はフィルムが装着されていることを特徴としている
【発明の効果】
【００１３】
本発明に係る、跳ね上げ式可動屋根装置は、上記の特徴的構成により以下の効果を奏する。即ち、第１〜第２の発明によれば、屋根材を構成する部材は、左右枠材と前後枠材からなる外周枠体と、枠内に格子状に張設された複数本の縦補強材と横補強材と、外周枠体の表裏全面に貼設される透明板とからなり、商店街への顧客又は通行人の日除け、雨除け機能等を発揮すると共に、請求項１記載のようなシンプルな構造であり、かつ外周枠体の表面又は表裏全面には透明板が貼設されているので、シースルーとなり、屋根装置全体の印象を、顧客、通行人等には軽快感を感じさせて、好印象を与え、商店街へのリピーターとなる要素になる。また、季節ごと又は時間帯によって変化する日照角度、気象条件等に即応し、電動モータを駆動してその角度を適宜調節することが可能であり、雨天時における外周枠体は、前下がりとなっているので、雨の吹き込みが比較的に少ないという効果がある。さらに不使用時の全体外周枠体は、垂直状に跳ね上がっているので、商店街全体が開放的になるという顕著な効果を有する。
【００１４】
第３〜第４の発明によれば、外周枠体は、平面視正方形又は長方形状で、当該外周枠体の表裏全面には、硬質合成樹脂板又は強化ガラスからなる透明板が貼設され、また外周枠体の枠内に張設された格子状、縦補強材と横補強材は、屋根装置全体の意匠性を高めて、外観性を良好にすると共に、個々の店舗はもちろん、商店街等の広告・宣伝効果を高め、統一感のある商店街として好適な印象を与え、周辺地域の活性化にもつながる。さらに、シンプル構造であるために軽快感を漂わせ、オープンモール又はクローズドモールを自由かつ容易に演出するのが可能である。
【００１５】
第５の発明によれば、外周枠体、縦補強材及び横補強材の素材は、硬質合成樹脂材又は非鉄金属からなるから、軽量部材であるために作業効率性を高めることができ、また大量生産が可能なので、製作コスト、設置費用等が安価となる。
【００１６】
第６の発明によれば、店主等のオプションにより透明板の表面に、着脱可能な広告用看板を装着することができるので、例えば、店舗広告はもちろん、商店街全体のバーゲンセール、その他のイベント開催案内等の広告には、有効な広告媒体ともなる。
【００１７】
第７の発明によれば、透明板の表面又は裏面には、着脱可能な遮光用シート又はフィルムを装着することができ、日照と紫外線が強烈な晩春、夏季又は初秋等には、遮光用シート又はフィルムを装着すれば、顧客や通行人は買物や散策等を好適に行うことができる。また、店舗内の商品品質の劣化を未然に防止することができる。
【００１８】
以下、本願特許請求の範囲、本願明細書において用いる用語の解釈上の疑義を解消するべく、用語の定義又は説明をすることとする。
＊＊＊＊＊＊＊＊＊＊＊＊＊＊＊＊＊＊＊＊＊＊＊＊＊＊＊＊＊＊＊＊＊＊＊＊＊＊＊＊
○跳ね上げ式可動屋根装置とは、電動モータによって、商店街等の建造物開口部の上方壁面から、歩道上に配設される可動屋根を、水平から垂直まで可動する装置をいう。
○軸支されるとは、軸が回転可能に支持されることをいう。
○前記横架部材は、建造物開口部の上方壁面と支柱に水平状に架設される部材をいい、可動屋根を、ブラケット、連結軸、及び基端部を介して、可動屋根を支持する。
左右とは、歩道から建造物開口部に対向した状態での方向をいう。
前後とは、歩道側を前、建造物側を後という。
表面とは、外周枠体が垂直状に跳ね上がったときの、歩道に面する方をいう。
裏面とは、外周枠体が垂直状に跳ね上がったとき、建造物の壁に面する方をいう。
ショッピングモールとは、遊歩道に沿って商種の異なる複数の小売商店で形成される商店街をいう。
オープンモールとは、屋根材が上方に跳ね上げられて保持された状態における、ショッピングモールをいう。
クローズドモールとは、屋根材の先端部が前下がりに保持された状態における、ショッピングモールをいう。
＊＊＊＊＊＊＊＊＊＊＊＊＊＊＊＊＊＊＊＊＊＊＊＊＊＊＊＊＊＊＊＊＊＊＊＊＊＊＊＊
【発明を実施するための最良の形態】
【００１９】
以下、本発明に係る、跳ね上げ式可動屋根装置に関する最良の実施形態について、添付の図面を参照しながら詳細に説明する。図１は、本発明の跳ね上げ式可動屋根装置（以下、屋根装置Ｒという）を、商店街のアーケードに配設した状態を示す斜視図、図２は、屋根装置Ｒの要部を示す斜視図、図３は、図２における３−３線矢視図、図４は、屋根装置Ｒの一部切欠平面図、図５は、同一部切欠正面図、図６は、透明板に広告用看板及び遮光用シート又はフィルムを装着した状態を示す斜視図、図７は、屋根装置Ｒの他の実施態様を示す一部切欠正面図である。
【００２０】
図１は、屋根装置Ｒを、複数の店舗Ａ、Ｂ、Ｃ…が軒先を並行して営業する、商店街ＳＭ（ショッピングモール）に配設した全体図で、当該屋根装置Ｒは、例えば各店舗Ａ、Ｂ、Ｃ…毎に又は複数の店舗が、カラー、デザイン等を統一して一体化して装備され、その通常の使用において、屋根材１の先端部１ａは、図１〜図３に示すように前下がり状態となっており、各店舗の店主又は店員によりその日の天候、日照角度等に即応して随時、電源スイッチ（不図示）を介し、正逆回転可能な電動モータＭを駆動して角度調整が可能となっている。Ｄは歩道で、Ｆは顧客又は通行人である。
【００２１】
図２〜図５は、屋根装置Ｒを通常に使用した状態を示し、屋根材１の先端部１ａは、前下がりとなっている。２、３は左右の枠材で、４、５は前後の枠材で外周枠体６を形成し、図４に示すように、当該外周枠体６の全体形状は、平面視正方形又は長方形状となっている。外周枠体６の枠内には複数本の縦補強材７、７…と横補強材８、８…が格子状に張設されている。外周枠体６を形成する左右の枠材２、３及び前後の枠材４、５、さらに縦補強材７、７…と横補強材８、８…の素材としては、硬質合成樹脂材、例えばポリオレフィン系樹脂が好適に採用され、公知技術の押し出し成形法等によって製作される。非鉄金属としては、アルミニウムが好ましい。
【００２２】
９は透明板で、硬質合成樹脂板、例えばポリカーボネート板、アクリル板、ＡＢＳ樹脂板又はポリアクリレート板から選択され、特に、その透明度、耐熱性、耐衝撃強度、防燃性等の素材特性からポリカーボネート板が好ましくい。また透明板９には、耐熱強度及び耐衝撃強度を高めた、強化ガラスを採用することもできる。透明板９の厚さ寸法は、約５ｍｍ〜１５ｍｍである。
【００２３】
１０は横架部材で、建造物例えば、店舗Ａの開口部の上方壁面Ｗと両側の支柱１１、１２に水平状に架設されている。縦補強材７、７…の各基端部７ａ、７ａ…は立設し、横架部材１０と平行に架設された連結軸１３で連結され、当該連結軸１３の両端部１３ａ、１３ｂは、横架部材１０の左右両側に設けられたブラケット１０ａ、１０ｂに軸支されると共に、連結軸１３の一端１３ｂは、建造物開口部の一方の支柱１２に配設された正逆回転可能な電動モータＭの駆動軸Ｍａに回動可能に連結されている。
【００２４】
図６は、屋根装置Ｒが不要のとき、例えば、夜間又は曇天時等には、図示するように屋根材１を垂直状に跳ね上げた状態で保持される。１４は広告用看板、１５は遮光用シート又はフィルムで、透明板９にビス１４ａ等の固定手段を介して着脱自在に装着することができる。広告用看板１４の広告内容、デザイン、レイアウト１４ｂ等は、屋根装置Ｒを設置した管理者、広告主である店主又は商店街組合等のオプションによって決定される。また遮光用シート又はフィルム１５は、無反射のシート又はフィルムが好ましく、例えば日照と紫外線が強烈な晩春、夏季又は初秋等に装着される。
【００２５】
図７は、屋根装置Ｒにおける他の実施態様を示し、図示するように、左右の枠材２０、３０と前後の枠材４０、５０からなる外周枠体６０の表裏全面６０ａ、６０ｂを、透明板９０、９１で挟着するようにしてなるもので、１００は横架部材、１１０は左側支柱、１２０は右側支柱、１３０は連結軸である。
【００２６】
屋根装置Ｒの操作態様について、図３を中心に説明する。屋根材１の可動角度θは、図示するように、先端部１ａが前下がり状態（ａ）から垂直状に跳ね上げられた状態（ｃ）、またその中途状態（ｂ）を含み約９０°〜１１５°で、正逆回転可能な電動モータＭを駆動してその角度調整が行われる。例えば、雨天時において、屋根材１は前下がり状態（ａ）で、歩道Ｄ上の顧客や通行人Ｆが傘等の雨具なしで通行を可能とし、天候が回復したときは、電動モータＭを駆動して屋根材１の角度を、約３０°〜４５°の中途状態（ｂ）に保持される。店舗Ａ、Ｂ、Ｃ…の営業が終了したら、再び電動モータＭを駆動して屋根材１の角度を垂直状に跳ね上げた状態（ｃ）にして保持する。
【００２７】
夜が明けて営業開始と共に、電動モータＭを駆動して屋根装置Ｒを前下がり状態（ａ）に回動するか、例えば曇天時のように不要な場合は、垂直状に跳ね上げた状態（ｃ）のままとするか、屋根装置Ｒを設置した管理者、広告主である店主等の判断で決定される。
【図面の簡単な説明】
【００２８】
【図１】は、本発明に係る、屋根装置Ｒを商店街のアーケードに配設した状態を示す斜視図である。
【図２】は、屋根装置Ｒの要部を示す斜視図である。
【図３】は、図２における３−３線矢視図である。
【図４】は、屋根装置Ｒの一部切欠平面図である。
【図５】は、同一部切欠正面図である。
【図６】は、透明板に広告用看板及び遮光用シート又はフィルムを装着した状態を示す斜視図である。
【図７】は、屋根装置Ｒの他の実施態様を示す一部切欠正面図である。
【符号の説明】
【００２９】
Ｒ                屋根装置
ＳＭ              商店街
Ａ、Ｂ、Ｃ…      店舗
Ｗ                壁面
１                屋根材
１ａ              先端部
２                左枠材
３                右枠材
４                前枠材
５                後枠材
６                外周枠体
７、７…          縦補強材
７ａ、７ａ…      基端部
８、８…          横補強材
９                透明板
１０、１００      横架部材
１０ａ、１０ｂ    ブラケット
１１０ａ、１１０ｂブラケット
１１、１１０      支柱
１２、１２０      支柱
１３、１３０      連結軸
１３ａ、１３ｂ    両端部
１４              広告用看板
１５              遮光用シート又はフィルム
【図１】
2008075321.tif 000003
【図２】
2008075321.tif 000004
【図３】
2008075321.tif 000005
【図４】
2008075321.tif 000006
【図５】
2008075321.tif 000007
【図６】
2008075321.tif 000008
【図７】
2008075321.tif 000009